(57)【特許請求の範囲】
【請求項１】
各種のデータ処理を実行可能な携帯型電子端末に対して通信ネットワークを通じて接続可能であり、商品の売上に係るデータを売上登録処理する商品販売データ処理システムにおいて、
売上登録処理された前記商品について配達する旨を宣言する配達宣言手段と、
この配達宣言手段により前記商品についての配達が宣言された場合、配達先を特定する配達先データ及び配達日時を特定する配達日時データを取得する配達関連データ取得手段と、
この配達関連データ取得手段により取得した前記配達先データ及び前記配達日時データに前記商品の売上に係るデータを関連付けた配達データを前記携帯型電子端末に対して送信する配達データ送信手段と、
を備えることを特徴とする商品販売データ処理システム。
【請求項２】
商品の売上に係るデータを売上登録処理する商品販売データ処理システムに対して通信ネットワークを通じて接続可能であり、各種のデータ処理を実行可能な携帯型電子端末において、
前記商品販売データ処理システムから送信され、配達先を特定する配達先データ及び配達日時を特定する配達日時データに商品の売上に係るデータが関連付けられた配達データを受信する配達データ受信手段を備えることを特徴とする携帯型電子端末。
【請求項３】
配送伝票を印刷可能なプリンタ装置に対し、前記配達データ受信手段により受信した前記配達データを出力する配送伝票プリント手段を備えることを特徴とする請求項２記載の携帯型電子端末。
【請求項４】
請求項１記載の商品販売データ処理システムと、
請求項２または３記載の携帯型電子端末と、
を備えることを特徴とする商品販売システム。
【請求項５】
固定店舗における商品の店頭販売と並行して商品をトラック等の移動店舗に積載して販売する移動販売を実施しているような販売形態に用いられる販売商品配達方法であって、
固定店舗に設置されて商品の売上に係るデータを売上登録処理する商品販売データ処理システムと、移動店舗に配備されて各種のデータ処理を実行可能な携帯型電子端末とを通信ネットワークを通じて接続可能とし、
前記商品販売データ処理システムで売上登録処理された前記商品について配達する旨を宣言させる配達宣言工程と、
この配達宣言工程により前記商品についての配達が宣言された場合、配達先を特定する配達先データ及び配達日時を特定する配達日時データを取得する配達関連データ取得工程と、
この配達関連データ取得工程により取得した前記配達先データ及び前記配達日時データに前記商品の売上に係るデータを関連付けた配達データを前記携帯型電子端末に対して送信する配達データ送信工程と、
この配達データ送信工程により送信された前記配達データを前記携帯型電子端末で受信する配達データ受信工程と、
を含むことを特徴とする販売商品配達方法。
【発明の詳細な説明】
【０００１】
【発明の属する技術分野】
本発明は、商品販売データ処理システム、携帯型電子端末、商品販売システムおよび販売商品配達方法に関する。
【０００２】
【従来の技術】
従来より、過疎地域やへき地の集落においては、車で移動しながら食料品等を販売する移動販売が行われている。
【０００３】
また、近年においては、大都市圏においても利便性を追求した結果として商品の移動販売や宅配サービスが広く普及するに至っている。特に、スーパーマーケット等の店舗に出向いて買物をした場合において、醤油・酒・米等のように比較的重い商品や灯油等のように陳列に向かない商品を家庭まで配達するような宅配サービスは、今後の高齢化社会の進展に向けて一層発達していく見込みである。
【０００４】
【発明が解決しようとする課題】
しかしながら、前述したような商品の移動販売や宅配サービスは、まだ、完全とはいえず、いまだ解決されねばならない課題が多々存在する。
【０００５】
例えば、一のスーパーマーケットで店頭販売と並行して移動販売を実施している場合において、宅配サービスを実施する場合、店舗において商品をピッキングしてからトラックに積み込んで家庭へと配達することになる。ところが、この場合には、移動販売用のトラックも走っている場合があり、このトラックに当該商品が積み込まれている場合にはその移動販売用のトラックから配達した方が効率は良く、改善の余地がある。
【０００６】
本発明の目的は、固定店舗における商品の店頭販売と並行して商品をトラック等の移動店舗に積載して販売する移動販売を実施しているような販売形態での業務効率の改善を図るとともに利便性の向上を図ることである。
【０００７】
【課題を解決するための手段】
請求項１記載の発明の商品販売データ処理システムは、各種のデータ処理を実行可能な携帯型電子端末に対して通信ネットワークを通じて接続可能であり、商品の売上に係るデータを売上登録処理する商品販売データ処理システムにおいて、売上登録処理された前記商品について配達する旨を宣言する配達宣言手段と、この配達宣言手段により前記商品についての配達が宣言された場合、配達先を特定する配達先データ及び配達日時を特定する配達日時データを取得する配達関連データ取得手段と、この配達関連データ取得手段により取得した前記配達先データ及び前記配達日時データに前記商品の売上に係るデータを関連付けた配達データを前記携帯型電子端末に対して送信する配達データ送信手段と、を備える。
【０００８】
したがって、売上登録処理された商品についての配達が宣言されると、配達先を特定する配達先データ及び配達日時を特定する配達日時データの取得を条件として、配達先データ及び配達日時データに商品の売上に係るデータを関連付けた配達データが携帯型電子端末に対して送信される。これにより、例えば配達データの受信が可能な携帯型電子端末を商品を積載して販売するトラック等の移動店舗に配備しておけば、携帯型電子端末で受信した配達データに基づいて移動店舗に積載されている商品をピッキングして所定の配送先に指定日時に配送することが可能になる。
【０００９】
請求項２記載の発明の携帯型電子端末は、商品の売上に係るデータを売上登録処理する商品販売データ処理システムに対して通信ネットワークを通じて接続可能であり、各種のデータ処理を実行可能な携帯型電子端末において、前記商品販売データ処理システムから送信され、配達先を特定する配達先データ及び配達日時を特定する配達日時データに商品の売上に係るデータが関連付けられた配達データを受信する配達データ受信手段を備える。
【００１０】
したがって、配達先を特定する配達先データ及び配達日時を特定する配達日時データに商品の売上に係るデータが関連付けられた配達データを商品販売データ処理システムから受信することが可能になるので、例えば携帯型電子端末を商品を積載して販売するトラック等の移動店舗に配備しておけば、携帯型電子端末で受信した配達データに基づいて移動店舗に積載されている商品をピッキングして所定の配送先に指定日時に配送することが可能になる。
【００１１】
請求項３記載の発明は、請求項２記載の携帯型電子端末において、配送伝票を印刷可能なプリンタ装置に対し、前記配達データ受信手段により受信した前記配達データを出力する配送伝票プリント手段を備える。
【００１２】
したがって、商品販売データ処理システムから受信した配達データがプリンタ装置から配送伝票として印刷されるので、商品のピッキングや配送先及び指定日時の確認等が容易になる。
【００１３】
請求項４記載の発明の商品販売システムは、請求項１記載の商品販売データ処理システムと、請求項２または３記載の携帯型電子端末と、を備える。
【００１４】
したがって、売上登録処理された商品についての配達が宣言されると、配達先を特定する配達先データ及び配達日時を特定する配達日時データの取得を条件として、配達先データ及び配達日時データに商品の売上に係るデータを関連付けた配達データが携帯型電子端末において受信される。これにより、例えば携帯型電子端末を商品を積載して販売するトラック等の移動店舗に配備しておけば、携帯型電子端末で受信した配達データに基づいて移動店舗に積載されている商品をピッキングして所定の配送先に指定日時に配送することが可能になる。また、配達データをプリンタ装置から配送伝票として印刷するようにすれば、商品のピッキングや配送先及び指定日時の確認等が容易になる。
【００１５】
請求項５記載の発明の販売商品配達方法は、固定店舗における商品の店頭販売と並行して商品をトラック等の移動店舗に積載して販売する移動販売を実施しているような販売形態に用いられる販売商品配達方法であって、固定店舗に設置されて商品の売上に係るデータを売上登録処理する商品販売データ処理システムと、移動店舗に配備されて各種のデータ処理を実行可能な携帯型電子端末とを通信ネットワークを通じて接続可能とし、前記商品販売データ処理システムで売上登録処理された前記商品について配達する旨を宣言させる配達宣言工程と、この配達宣言工程により前記商品についての配達が宣言された場合、配達先を特定する配達先データ及び配達日時を特定する配達日時データを取得する配達関連データ取得工程と、この配達関連データ取得工程により取得した前記配達先データ及び前記配達日時データに前記商品の売上に係るデータを関連付けた配達データを前記携帯型電子端末に対して送信する配達データ送信工程と、この配達データ送信工程により送信された前記配達データを前記携帯型電子端末で受信する配達データ受信工程と、を含む。
【００１６】
したがって、売上登録処理された商品についての配達が宣言されると、配達先を特定する配達先データ及び配達日時を特定する配達日時データの取得を条件として、配達先データ及び配達日時データに商品の売上に係るデータを関連付けた配達データが携帯型電子端末において受信される。これにより、携帯型電子端末を商品を積載して販売するトラック等の移動店舗に配備しておけば、携帯型電子端末で受信した配達データに基づいて移動店舗に積載されている商品をピッキングして所定の配送先に指定日時に配送することが可能になる。
【００１７】
【発明の実施の形態】
本発明の実施の一形態を図１ないし図１３に基づいて説明する。本実施の形態の商品販売システムは、概略的には、固定店舗における商品の店頭販売と並行して商品をトラック等の移動店舗に積載して販売する移動販売を実施しているようなスーパーマーケット等で用いられるシステムである。
【００１８】
ここで、図１は商品販売システム１の全体構成を概略的に示すシステム構成図である。図１に示すように、商品販売システム１は、スーパーマーケット等の小売店舗に設けられる商品販売データ処理システムであるＰＯＳ（Point of Sales：販売時点管理）システム５を主体に構成されている。ＰＯＳシステム５は、スーパーマーケットのレジカウンターに設置される複数台のＰＯＳ端末２と、これらのＰＯＳ端末２をＬＡＮ（Local Area Network）３によって接続して集中管理するスーパーマーケットのバックヤードに設置されるストアコンピュータ４とで構成されている。また、ＰＯＳシステム５を構成するストアコンピュータ４は、電話回線を経由して通信ネットワークであるインターネット網１００に接続可能とされており、インターネット上のＷＷＷ（World Wide Web）サーバとしても機能する。
【００１９】
また、インターネット網１００には、携帯電話網１０１がゲートウェイ１０２を介して接続されている。このようにインターネット網１００に接続される携帯電話網１０１で使用される携帯型電子端末である携帯電話１０３（１０３ａ，・・・，１０３ｘ）には、ブラウジング機能などのインターネットに対する操作のための特殊な機能が搭載されている。なお、携帯電話１０３には、ＰＨＳ（Personal Handyphone System）端末も含まれるものとする。このような携帯電話１０３には、ＬＣＤ（Liquid Crystal Display）等の表示部１０４、入力部として機能する各種キーを備えたキーボード１０５が設けられている。
【００２０】
なお、本実施の形態の携帯電話１０３は、食料品や雑貨等を積載して移動しながら販売する移動店舗である移動販売用のトラックに配備されて使用されるものとする。
【００２１】
続いて、ＰＯＳシステム５を構成するＰＯＳ端末２について説明する。ＰＯＳ端末２は、店舗の精算場所に配設されてキャッシャが売上処理を行うためのものであり、図２に示すような構成とされている。ＰＯＳ端末２には、本体８の上面側にキーボード９が設けられており、本体８の下部側にはドロワ１０が引出自在に設けられている。また、本体８の奥側には表示器１１が設けられている。さらには、磁気カード製の会員カード（図示せず）の読み取りを行うための磁気カードリーダ１２がキーボード９の脇に並設されている。さらに、ＰＯＳ端末２には、商品コードを光学的に読み取るためのバーコードスキャナ１３も接続されている。
【００２２】
図３にキーボード９のキー配置を示す。このキーボード９には、商品区分登録を行うための部門キー９ａ、商品コード、金額、日時等を入力するための「０」から「９」までの置数キー９ｂ、売上処理において現金による決済を宣言するための預／現計キー９ｃ、売上合計金額の算出を宣言するための小計キー９ｄ等の各種キーが設けられている。また、キーボード９の一部には、本実施の形態における特有のキーとして、「配達」キー９ｅが設けられている。「配達」キー９ｅは、家庭に買上げ品を配達する際に会員カードを磁気カードリーダ１２で読み取らせるための読み取り動作を宣言するキーである。
【００２３】
このようなＰＯＳ端末２の電装系は図４に示すように構成されている。ＰＯＳ端末２は、ＣＰＵ（Central Processing Unit）、制御プログラムを格納するＲＯＭ（Read Only Memory）、ＲＡＭ（Random Access Memory）等で構成されるＰＯＳ制御部１４と、不揮発性ＲＯＭ等で構成されるメモリ部１５とを保有し、バス１６を介して接続された通信インタフェース１７から、ＬＡＮ３を介してストアコンピュータ４との間で相互にオンライン通信を実行し得るように構成されている。そして、ＰＯＳ制御部１４は、ＣＰＵがＲＯＭの制御プログラムに従って動作することにより、後述する配達宣言手段、配達関連データ取得手段及び配達データ送信手段を実現する。
【００２４】
また、ＰＯＳ制御部１４には、バス１６及びＩ／Ｏ機器制御部１８を介して、前述したキーボード９、表示器１１、磁気カードリーダ１２、バーコードスキャナ１３とともにプリンタ１９が接続されている。このプリンタ１９は、ＰＯＳ端末２の本体８内に内蔵されたレシート／ジャーナルプリンタであり、売上処理に伴い、取引単位でレシートを発行するとともに、並行してジャーナル用紙への印字を行うものである。
【００２５】
次に、ストアコンピュータ４について説明する。ストアコンピュータ４は、ＰＯＳシステム５全体の制御を受持ち、その電装系は、例えば、図５に示すような構成とされている。ストアコンピュータ４は、ＣＰＵ、ＲＯＭ、ＲＡＭ等で構成される制御部２０と、不揮発性ＲＯＭ等で構成されるメモリ部２１とを保有し、バス２２を介して接続された通信インタフェース２３ａから、ＬＡＮ３を介して複数台のＰＯＳ端末２との間で相互にオンライン通信を実行し得るように構成されている。また、制御部２０には、インターネット網１００に接続するための通信インタフェース２３ｂもバス２２を介して接続されている。さらに、制御部２０にはバス２２及びＩ／Ｏ機器制御部２４を介して、キーボード２５、表示器２６、プリンタ２７及びＨＤＤ（Hard Disk Drive）２８が接続されている。ＨＤＤ２８には、制御部２０のＣＰＵを動作させる制御プログラムの他、商品マスタファイルＦ１、売上ファイルＦ２、会員マスタファイルＦ３等が格納されている。なお、商品マスタファイルＦ１は商品コードに対応付けて商品名や単価を記憶するもの、売上ファイルＦ２は各ＰＯＳ端末２から送信される売上登録データを記憶するもの、会員マスタファイルＦ３は会員顧客毎の累計ポイントや会員の氏名・住所・電話番号等の会員情報を記憶するものである。
【００２６】
以上のようなＰＯＳ端末２とストアコンピュータ４とで構成されるＰＯＳシステム５の売上処理の際の動作について簡単に説明する。例えば商品に付された商品コードがＰＯＳ端末２のバーコードスキャナ１３によって読み取られると、ＰＯＳ端末２は読み取った商品コードをストアコンピュータ４に問い合わせる。そして、商品コードを問い合わせられたストアコンピュータ４側においては、ＰＯＳ端末２からの問い合わせにより商品マスタファイルＦ１を検索し、該当する商品コードに対応した商品名や単価等を読み出してＰＯＳ端末２へ送信する。また、ＰＯＳ端末２は、ストアコンピュータ４からの商品名や単価等を受信し、問い合わせした商品コード及び受信した商品名や単価等に基づいて部門別登録や表示器１１への表示、またプリンタ１９により印字出力を行い、さらに売上登録したデータをストアコンピュータ４へ送信する。さらに、ＰＯＳ端末２から売上登録したデータを送信されたストアコンピュータ４側では、ＰＯＳ端末２からの売上登録データを売上ファイルＦ２に累計する。
【００２７】
なお、灯油等のように陳列に向かない商品や予め配達することがわかっている商品については、カタログやバーコード表に付された商品コードをＰＯＳ端末２のバーコードスキャナ１３で読み取るようにしても良い。
【００２８】
続いて、本実施の形態の商品販売システム１が備える特長的な機能について以下において詳細に説明する。なお、従来から行なわれている処理と同様の処理についてはその説明を省略する。ここでは、本実施の形態の商品販売システム１が備える特長的な機能を実現する商品配達処理について、ＰＯＳ端末２のＰＯＳ制御部１４側の制御処理を示す図６のフローチャート及び、ストアコンピュータ４の制御部２０側の制御処理を示す図７のフローチャートを参照して説明する。
【００２９】
任意のＰＯＳ端末２において顧客による商品買上げがあり、その買上げ商品の売上登録処理が終了し（図６に示すステップＳ１）、「配達」キー９ｅがキャッシャによって操作された場合に、商品宅配処理が実行されることになる。
【００３０】
詳細には、売上登録処理が終了した後に顧客により会員カードが提示されて配達の希望があった場合には、キャッシャは「配達」キー９ｅを操作する。ＰＯＳ制御部１４が「配達」キー９ｅの操作を検知すると（ステップＳ２のＹ：配達宣言手段）、ステップＳ３に進み、磁気カードリーダ１２による会員カードの読み取りに待機する。
【００３１】
提示された会員カードについて磁気カードリーダ１２で読み取りを行って会員コードを取得すると（ステップＳ３）、その会員コードをキーとしてストアコンピュータ４側に配達先を特定する配達先データである会員の氏名・住所・電話番号等の会員情報の問合せを行う（ステップＳ４）。
【００３２】
この問合せを受けたストアコンピュータ４側では、図７に示すように、会員情報の問合せと認識し（ステップＳ２１のＹ）、問合せのあった会員コードに基づいて会員マスタファイルＦ３を検索し、その会員コードが有効であれば会員マスタファイルＦ３から会員情報を読み出す（ステップＳ２２）。
【００３３】
その後、読み出した会員情報を含む伝文をセットし（ステップＳ２３）、その伝文を問合せのあったＰＯＳ端末２に応答する（ステップＳ２４）。
【００３４】
なお、会員カードをＩＣチップを有するＩＣカードで構成するようにした場合には、会員の氏名・住所・電話番号等の会員情報をＩＣチップ内に記憶させておくことが可能になるので、ストアコンピュータ４側に会員情報を問い合せることなく会員情報を取得することが可能になる。ただし、その場合には、カードリーダ１２をＩＣカードに対応させる必要があるのは言うまでもない。
【００３５】
また、会員登録していない顧客の場合には、キーボード９から氏名・住所・電話番号等の情報を入力することも可能である。
【００３６】
会員情報を問合せたＰＯＳ端末２では、この応答を受けた後、置数キー９ｂによる配達指定日時（配達日時を特定する配達日時データ）の入力に待機する（ステップＳ５）。つまり、ステップＳ４〜ステップＳ５において、配達先を特定する配達先データ及び配達日時を特定する配達日時データを取得する配達関連データ取得手段の機能が実行される。
【００３７】
配達指定日時の入力があった場合には（ステップＳ５のＹ）、預／現計キー９ｃなどの締めキーが操作されたかをチェックし（ステップＳ６）、締めキーが操作されていれば（ステップＳ６のＹ）、ステップＳ７に進み、売上登録処理した売上登録データをストアコンピュータ４へ送信する等の締め処理を実行する。
【００３８】
ここで、図８は締め処理時におけるＰＯＳ端末２の表示器１１の表示例を示す正面図である。図８に示すように、締め処理の際のＰＯＳ端末２の表示器１１には、ステップＳ３で磁気カードリーダ１２により会員カードから読み取られた会員コードａと、会員マスタファイルＦ３から読み出された会員情報ｂと、ステップＳ５で入力された配達指定日時ｃと、売上登録処理された商品名及び点数ｄとが表示される。
【００３９】
また、このように締め処理時にＰＯＳ端末２の表示器１１に表示される会員コードａと、配達先を特定する配達先データである会員情報ｂと、配達日時を特定する配達日時データである配達指定日時ｃと、商品の売上に係るデータである商品名及び点数ｄとは、図９に示すような配達データＤとして生成され、ストアコンピュータ４へと送信される（ステップＳ８）。
【００４０】
その後、取引情報をプリンタ１９によってレシート用紙上に印字し、レシートを発行する（ステップＳ９）。このレシートを会員カードとともに顧客に手渡すことにより、今回の取引が終了する。
【００４１】
なお、磁気カードリーダ１２で読み取られた会員コードが無効であったり、会員カードを持っていない顧客の場合には、預／現計キー９ｃなどの締めキーが操作されたかをチェックし（ステップＳ１０）、締めキーが操作されていれば（ステップＳ１０のＹ）、売上登録処理した売上登録データをストアコンピュータ４へ送信する等の締め処理を実行した後（ステップＳ１１）、取引情報をプリンタ１９によってレシート用紙上に印字し、レシートを発行する（ステップＳ１２）。このレシートを顧客に手渡すことにより、今回の取引が終了する。
【００４２】
一方、配達データＤを受信したストアコンピュータ４側では（図７に示すステップＳ２５のＹ）、受信した配達データＤの配信先となる移動販売用のトラックを指定する（ステップＳ２６）。ここで、配達データＤの配信先の指定方法としては、例えば移動販売用のトラックの移動エリアと配達データＤの会員情報ｂに含まれる電話番号とを対応付けたテーブルによって自動的に指定する方法や、移動販売用のトラックで使用される携帯電話１０３（ＧＰＳ（Global Positioning System：全地球測位システム）ユニットを接続した携帯電話やＰＨＳ端末）による位置情報提供サービスにより移動販売用のトラックの現在位置を特定し、配達データＤの配達指定日時ｃや会員情報ｂに含まれる住所に応じて指定する方法等が考えられる。
【００４３】
その後、ステップＳ２７に進み、配達データＤの配達指定日時ｃに基づいて配達日が今日か否かを判断する。
【００４４】
配達日が今日である場合には（ステップＳ２７のＹ）、配達データＤをメールに添付する形で指定された移動販売用のトラックで使用される携帯電話１０３に対して配信する（ステップＳ２８）。ここに、配達データ送信手段の機能が実行される。
【００４５】
一方、配達日が今日でない場合には（ステップＳ２７のＮ）、配達データＤをＨＤＤ２８内の所定領域に記憶しておく（ステップＳ２９）。このようにしてＨＤＤ２８内に記憶された配達データＤは、配達データＤの配達指定日時ｃに基づいて抽出されて配信されることになる。
【００４６】
続いて、配達データＤをメールに添付する形で配信された移動販売用のトラック側での処理について以下に説明する。
【００４７】
まず、移動販売用のトラックに配備される携帯電話１０３について図１０を参照しつつ説明する。本実施の形態の携帯電話１０３は、その外観等については周知のものと何ら変わるものではないため説明を省略する。図１０に示すように、携帯電話１０３にはMicrocomputer（以下、マイコンという。）１０６が備えられており、このマイコン１０６が、電話機能を発揮する通信制御部１０７、表示部１０４、各種キーを備えたキーボード１０５等の各部を駆動制御する。マイコン１０６は、各部を集中的に制御するＣＰＵ１０８にバスライン１０９を介して、マイコン１０６を動作させる制御プログラム等の固定的データを予め格納するＲＯＭ１１０と各種データを書き換え自在に格納するワークエリアとして機能するＲＡＭ１１１とが接続されて構成されている。加えて、バスライン１０９には、表示データ等を高速展開するＶＲＡＭ（Video Random Access Memory）１１２や不揮発性のフラッシュメモリ１１３が接続されている。
【００４８】
特に図示しないが、ＣＰＵ１０８はＲＯＭ１１０の制御プログラムに従って動作することにより、ＰＯＳシステム５から送信された配達データＤを通信制御部１０７を介して受信する配達データ受信手段の機能を実行する。
【００４９】
また、携帯電話１０３には、無線通信手段１１４が設けられており、この無線通信手段１１４はバスライン１０９に接続され、マイコン１０６によって駆動制御される。この無線通信手段１１４は、マイコン１０６の制御によって他の無線通信手段を搭載した機器との間でのデータやプログラムの送受信を可能にしている。
【００５０】
加えて、図１１に示すように、移動販売用のトラックには、携帯電話１０３の他にプリンタ装置である携帯可能なポータブル型プリンタ１２０も配備されており、このポータブル型プリンタ１２０も商品販売システム１の一部を構成する。移動販売用のトラックに配備されるポータブル型プリンタ１２０について図１１及び図１２を参照しつつ説明する。このポータブル型プリンタ１２０は、内部にロール状に巻回されたロール紙（図示せず）を収納保持し、このロール紙をモータ１２１を駆動源とするプラテンを主体とする紙送り機構（図示せず）によって搬送し、このようなロール紙の搬送とサーマルヘッド１２２における選択的な発熱とによる印刷動作によってロール紙に対する印刷動作を実行する構造のものである。
【００５１】
ポータブル型プリンタ１２０には、各種の演算処理を実行して各部を集中的に制御するＣＰＵ１２３が設けられ、このＣＰＵ１２３にはフラッシュＲＯＭ１２４とＳＲＡＭ１２５とがバス接続されている。フラッシュＲＯＭ１２４には、制御プログラムや印刷フォーマットデータ等が書き込まれている。ＳＲＡＭ１２５は、ワークエリアとして用いられる他、印刷データを蓄える印刷データ記憶領域を提供し、また、印刷命令に応じて印刷データ記憶領域に蓄えられた印刷データを展開する画像メモリの領域を提供する。
【００５２】
また、ＣＰＵ１２３には、モータ１２１、サーマルヘッド１２２の他、無線通信手段１２６もバス接続されている。この無線通信手段１２６は、ＣＰＵ１２３の制御によって他の無線通信手段を搭載した機器との間でのデータやプログラムの送受信を可能にしている。
【００５３】
したがって、図１１に示すように、携帯電話１０３とポータブル型プリンタ１２０とは、無線通信手段１１４及び無線通信手段１２６による無線通信によってデータやプログラムの授受が可能になっている。より詳細には、携帯電話１０３においては、ポータブル型プリンタ１２０を特定した後、配信された配達データＤをキー１０５を操作することによって当該ポータブル型プリンタ１２０に対して送り込むことが可能になっている。そして、携帯電話１０３から配達データＤを送信されたポータブル型プリンタ１２０においては、所定の印刷フォーマットに従って図１３に示すような配送伝票Ｓを印字出力することになる。図１３に示すように、配送伝票Ｓには、配達データＤを構成する会員コードａと会員情報ｂと配達指定日時ｃと商品名及び点数ｄとが印字される。ここに、配送伝票プリント手段が実現されている。このように配達データＤをポータブル型プリンタ１２０から配送伝票Ｓとして印刷することで、商品のピッキングや配送先及び指定日時の確認等を容易に行うことが可能になる。
【００５４】
よって、移動販売用のトラックの乗務員は、配送伝票Ｓをポータブル型プリンタ１２０から出力した後、この配送伝票Ｓに記載された商品名及び点数ｄに従って商品をピッキングし、会員情報ｂに含まれる住所と配達指定日時ｃとに従って商品を納品することになる。
【００５５】
ここに、売上登録処理された商品についての配達が宣言されると、配達先を特定する配達先データｂ及び配達日時を特定する配達日時データｃの取得を条件として、配達先データｂ及び配達日時データｃに商品の売上に係るデータｄを関連付けた配達データＤが携帯電話１０３において受信される。これにより、携帯電話１０３を商品を積載して販売するトラック等の移動店舗に配備しておけば、携帯電話１０３で受信した配達データＤに基づいて移動店舗に積載されている商品をピッキングして所定の配送先に指定日時に配送することができるので、業務効率の改善を図ることができるとともに利便性の向上を図ることができる。
【００５６】
なお、本実施の形態においては、商品販売データ処理システムとして、複数台のＰＯＳ端末２とストアコンピュータ４とで構成されるＰＯＳシステム５を適用したがこれに限るものではない。例えば、ＰＯＳ端末２とストアコンピュータ４との機能を一体化させた１台のスタンドアロン型のＰＯＳ端末のみからなる構成であっても同様に適用できる。
【００５７】
また、本実施の形態においては、携帯型電子端末として携帯電話１０３を適用したが、これに限るものではなく、ノート型パーソナルコンピュータ、ＰＤＡ（Personal Digital Assistants）と称される携帯用情報端末等であっても良い。
【００５８】
【発明の効果】
請求項１記載の発明の商品販売データ処理システムによれば、各種のデータ処理を実行可能な携帯型電子端末に対して通信ネットワークを通じて接続可能であり、商品の売上に係るデータを売上登録処理する商品販売データ処理システムにおいて、売上登録処理された前記商品について配達する旨を宣言する配達宣言手段と、この配達宣言手段により前記商品についての配達が宣言された場合、配達先を特定する配達先データ及び配達日時を特定する配達日時データを取得する配達関連データ取得手段と、この配達関連データ取得手段により取得した前記配達先データ及び前記配達日時データに前記商品の売上に係るデータを関連付けた配達データを前記携帯型電子端末に対して送信する配達データ送信手段と、を備え、売上登録処理された商品についての配達が宣言されると、配達先を特定する配達先データ及び配達日時を特定する配達日時データの取得を条件として、配達先データ及び配達日時データに商品の売上に係るデータを関連付けた配達データを携帯型電子端末に対して送信することにより、例えば配達データの受信が可能な携帯型電子端末を商品を積載して販売するトラック等の移動店舗に配備しておけば、携帯型電子端末で受信した配達データに基づいて移動店舗に積載されている商品をピッキングして所定の配送先に指定日時に配送することができるので、業務効率の改善を図ることができるとともに利便性の向上を図ることができる。
【００５９】
請求項２記載の発明の携帯型電子端末によれば、商品の売上に係るデータを売上登録処理する商品販売データ処理システムに対して通信ネットワークを通じて接続可能であり、各種のデータ処理を実行可能な携帯型電子端末において、前記商品販売データ処理システムから送信され、配達先を特定する配達先データ及び配達日時を特定する配達日時データに商品の売上に係るデータが関連付けられた配達データを受信する配達データ受信手段を備えることにより、配達先を特定する配達先データ及び配達日時を特定する配達日時データに商品の売上に係るデータが関連付けられた配達データを商品販売データ処理システムから受信することができるので、例えば携帯型電子端末を商品を積載して販売するトラック等の移動店舗に配備しておけば、携帯型電子端末で受信した配達データに基づいて移動店舗に積載されている商品をピッキングして所定の配送先に指定日時に配送することができ、業務効率の改善を図ることができるとともに利便性の向上を図ることができる。
【００６０】
請求項３記載の発明によれば、請求項２記載の携帯型電子端末において、配送伝票を印刷可能なプリンタ装置に対し、前記配達データ受信手段により受信した前記配達データを出力する配送伝票プリント手段を備えることにより、商品販売データ処理システムから受信した配達データをプリンタ装置から配送伝票として印刷することができるので、商品のピッキングや配送先及び指定日時の確認等を容易に行うことができる。
【００６１】
請求項４記載の発明の商品販売システムによれば、請求項１記載の商品販売データ処理システムと、請求項２または３記載の携帯型電子端末と、を備え、売上登録処理された商品についての配達が宣言されると、配達先を特定する配達先データ及び配達日時を特定する配達日時データの取得を条件として、配達先データ及び配達日時データに商品の売上に係るデータを関連付けた配達データを携帯型電子端末において受信することにより、例えば携帯型電子端末を商品を積載して販売するトラック等の移動店舗に配備しておけば、携帯型電子端末で受信した配達データに基づいて移動店舗に積載されている商品をピッキングして所定の配送先に指定日時に配送することができるので、業務効率の改善を図ることができるとともに利便性の向上を図ることができる。また、配達データをプリンタ装置から配送伝票として印刷することができるので、商品のピッキングや配送先及び指定日時の確認等を容易に行うことができる。
【００６２】
請求項５記載の発明の販売商品配達方法によれば、固定店舗における商品の店頭販売と並行して商品をトラック等の移動店舗に積載して販売する移動販売を実施しているような販売形態に用いられる販売商品配達方法であって、固定店舗に設置されて商品の売上に係るデータを売上登録処理する商品販売データ処理システムと、移動店舗に配備されて各種のデータ処理を実行可能な携帯型電子端末とを通信ネットワークを通じて接続可能とし、前記商品販売データ処理システムで売上登録処理された前記商品について配達する旨を宣言させる配達宣言工程と、この配達宣言工程により前記商品についての配達が宣言された場合、配達先を特定する配達先データ及び配達日時を特定する配達日時データを取得する配達関連データ取得工程と、この配達関連データ取得工程により取得した前記配達先データ及び前記配達日時データに前記商品の売上に係るデータを関連付けた配達データを前記携帯型電子端末に対して送信する配達データ送信工程と、この配達データ送信工程により送信された前記配達データを前記携帯型電子端末で受信する配達データ受信工程と、を含み、売上登録処理された商品についての配達が宣言されると、配達先を特定する配達先データ及び配達日時を特定する配達日時データの取得を条件として、配達先データ及び配達日時データに商品の売上に係るデータを関連付けた配達データを携帯型電子端末において受信することにより、携帯型電子端末を商品を積載して販売するトラック等の移動店舗に配備しておけば、携帯型電子端末で受信した配達データに基づいて移動店舗に積載されている商品をピッキングして所定の配送先に指定日時に配送することができるので、業務効率の改善を図ることができるとともに利便性の向上を図ることができる。
【図面の簡単な説明】
【図１】本発明の実施の一形態の商品販売システムの全体構成を概略的に示すシステム構成図である。
【図２】ＰＯＳ端末の構成を概略的に示す外観斜視図である。
【図３】キーボードのキー配置を示す平面図である。
【図４】ＰＯＳ端末の電装系の構成を示すブロック図である。
【図５】ストアコンピュータの電装系の構成を示すブロック図である。
【図６】ＰＯＳ端末のＰＯＳ制御部側の制御処理を示すフローチャートである。
【図７】ストアコンピュータの制御部側の制御処理を示すフローチャートである。
【図８】締め処理時におけるＰＯＳ端末の表示器の表示例を示す正面図である。
【図９】配達データのデータ構成を示す説明図である。
【図１０】携帯電話の電装系の構成を示すブロック図である。
【図１１】携帯電話とポータブル型プリンタとの間でのデータ送信を模式的に示す説明図である。
【図１２】ポータブル型プリンタの電装系の構成を示すブロック図である。
【図１３】配送伝票の一例を示す平面図である。
【符号の説明】
１        商品販売システム
５        商品販売データ処理システム
１００    通信ネットワーク
１０３    携帯型電子端末
１２０    プリンタ装置
Ｄ        配達データ
ｂ        配達先データ
ｃ        配達日時データ
ｄ        商品の売上に係るデータ
【図１】
0003878422.tif 000002
【図２】
0003878422.tif 000003
【図３】
0003878422.tif 000004
【図４】
0003878422.tif 000005
【図５】
0003878422.tif 000006
【図６】
0003878422.tif 000007
【図７】
0003878422.tif 000008
【図８】
0003878422.tif 000009
【図９】
0003878422.tif 000010
【図１０】
0003878422.tif 000011
【図１１】
0003878422.tif 000012
【図１２】
0003878422.tif 000013
【図１３】
0003878422.tif 000014